(57)【要約】【課題】  植物の種子を適した深さの土中に播くことができる種子保持具を提供する。【解決手段】両主表面を有する板状部材によって形成され、植物の種子を保持する種子保持具であって、両主表面の少なくとも一方に形成され、該種子保持具が埋設されるべき土表面に対する相対位置を示す目印である埋設目印と、両主表面の一面に他面方向に向かって窪むように埋設目印から所定距離離れた位置に一部が存在するように形成され、種子を収容し保持する凹部である種子保持部と、を備えてなる、種子保持具である。【選択図】図１
0003157030.tif 000002
【実用新案登録請求の範囲】
【請求項１】
両主表面を有する板状部材によって形成され、植物の種子を保持する種子保持具であって、
両主表面の少なくとも一方に形成され、該種子保持具が埋設されるべき土表面に対する相対位置を示す目印である埋設目印と、
両主表面の一面に他面方向に向かって窪むように埋設目印から所定距離離れた位置に一部が存在するように形成され、種子を収容し保持する凹部である種子保持部と、
を備えてなる、種子保持具。
【請求項２】
種子保持部が、第１凹部と、埋設目印から所定距離離れた位置に一部が存在するように第１凹部の底部に形成された第２凹部と、を有してなるものである、請求項１に記載の種子保持具。
【請求項３】
厚みが略均一な板状の部材である原料部材を押圧し、前記一面に凹部を形成すると共に、前記他面に凹部に対応する凸部を形成することで製造されるものである、請求項１又は２に記載の種子保持具。
【請求項４】
両主表面の少なくとも一方に、前記植物の生育方法及び／又は前記植物の画像が表示されるものである、請求項１乃至３のいずれか１に記載の種子保持具。
【請求項５】
前記種子保持具を支持する支持物に、前記種子保持具を吊下又は係止させる支持手段を有するものである、請求項１乃至４のいずれか１に記載の種子保持具。
【請求項６】
埋設目印から見て種子保持部が形成された方向の板状部材の縁部が、先細りの部分を有するものである、請求項１乃至５のいずれか１に記載の種子保持具。
【請求項７】
埋設目印が、前記種子保持具が埋設されるべき土表面に一致する直線である基準線に存する少なくとも異なる２点を示すものである、請求項１乃至６のいずれか１に記載の種子保持具。
【請求項８】
請求項１乃至７のいずれか１に記載の種子保持具と、凹部に収容された種子と、を含んでなる、植物栽培具。
【請求項９】
前記凹部を覆うように前記一面に取り付けられる蓋部材をさらに備えてなる、請求項８に記載の植物栽培具。
【請求項１０】
蓋部材が取り付けられた状態のまま液体の水と接触すると、水が種子に付着するものである、請求項９に記載の植物栽培具。
【請求項１１】
蓋部材が水溶性紙である、請求項１０に記載の植物栽培具。
【考案の詳細な説明】
【技術分野】
【０００１】
本考案は、種子保持具に関し、より詳細には、特に、植物の種子を適した深さの土中に播くことができる種子保持具に関する。
【背景技術】
【０００２】
植物の種子は、それを土中に播くことで様々な植物を生育させ、花を観賞したり、作物を収穫することができることから、趣味の分野や農業分野に多用されている。しかしながら、通常粒状をなす種子を搬送し、所定の個数を所定位置に播く作業は煩雑であり、これを改善するために種々の方法が提案されてきた（例えば、特許文献１参照）。
【０００３】
特許文献１には、「アマチュア向けに、種子の無駄がなく、使用が簡便な草花の播種育苗用シート提供する」（特許文献１、要約の課題）ためになされたものであり、具体的には「水溶紙１の上に所定のパターンで塗工した点状粘着剤２上に、種子３を搭載し、その上をポリエチレングリコールフィルム４で被覆し、該フィルムの種子の周囲を水溶紙に熱融着してなる種子固定シートを、少なくとも、該種子と同一種類の種子から生育した植物個体の画像および該植物の名称が表示されている絵袋５に収納する」（特許文献１、要約の解決手段）ものである種子固定シートが開示されている。
【０００４】
このような特許文献１の播種育苗用シートを構成する種子固定シートは、「水溶紙１の上に所定のパターンで塗工した点状粘着剤２上に、種子３を搭載し、その上をポリエチレングリコールフィルム４で被覆し、該フィルムの種子の周囲を水溶紙に熱融着してなる種子固定シート」であるので、種子固定シートを土表面に載置等し水を与えれば、ポリエチレングリコールフィルム４や水溶紙１が水に溶解や膨潤することで、種子３に水分が与えられ発芽する。これによって、水溶紙１の上の点状粘着剤２の塗工した所定のパターンに応じ、所定の間隔、粒数で種子３を発芽させ、生育させることができる。
【先行技術文献】
【特許文献】
【０００５】
【特許文献１】登録実用新案第３０４３６３７号公報（例えば、要約、第１図等）
【考案の概要】
【考案が解決しようとする課題】
【０００６】
特許文献１の種子固定シートによれば、土表面に沿った方向の種子３の間隔は、水溶紙１の上の点状粘着剤２の塗工パターンにより自在に決定できるが、種子３を土中にどの深さに播くかはうまく決定できない。このことは土中に所定の深さで播かれた状態で種子が発芽する方が好ましい植物については、土表面や土中の不適な深さに播くことで発芽率低下や発芽後の生育に悪影響が生じるといった問題が生じうる。
そこで、本考案では、植物の種子を適した深さの土中に播くことができる種子保持具を提供することを目的とする。
【課題を解決するための手段】
【０００７】
本考案の種子保持具（以下、「本保持具」という。）は、両主表面を有する板状部材によって形成され、植物の種子を保持する種子保持具であって、両主表面の少なくとも一方に形成され、該種子保持具が埋設されるべき土表面に対する相対位置を示す目印である埋設目印と、両主表面の一面に他面方向に向かって窪むように埋設目印から所定距離離れた位置に一部が存在するように形成され、種子を収容し保持する凹部である種子保持部と、を備えてなる、種子保持具である。
本保持具は、両主表面を有する板状部材によって形成され、埋設目印と種子保持部とを備えてなる。
埋設目印は、両主表面の少なくとも一方（両主表面の一方又は両方）に形成される。埋設目印は、本保持具が埋設されるべき土表面に対する好ましい相対位置を示す目印である。
種子保持部は、両主表面の一面に他面方向に向かって窪むように形成される凹部である。種子保持部を構成する凹部は、埋設目印から所定距離離れた位置に一部が存在するように形成される。そして、種子保持部は、凹部に種子を収容し保持する。
このため本保持具が埋設されるべき土表面に対する相対位置に埋設目印を合わせて種子保持部が土中に埋設された時に、凹部の該一部に保持された種子が土中に播かれるのに適した深さに播かれるように埋設目印と凹部との位置関係を決定しておけば（埋設目印から凹部の該一部までの該所定距離を調整する）、埋設目印を該相対位置に合わせて種子保持部を土中に埋設することにより、凹部の該一部に保持された種子を土中に適した深さに播くことができる。このように本保持具は、植物の種子を適した深さの土中に播くことができる種子保持具である。
【０００８】
本保持具においては、種子保持部が、第１凹部と、埋設目印から所定距離離れた位置に一部が存在するように第１凹部の底部に形成された第２凹部と、を有してなるものであってもよい。
こうすることで、通常、深さの深い第２凹部の一部に保持された種子が、該種子が土中に播かれるのに適した深さに播かれると共に、第２凹部が形成されていない第１凹部の部分（該部分は、第２凹部よりも浅い場合もあるが、第２凹部よりも深い場合もある）に保持された種子が、適した深さ（通常、第２凹部の該一部）の前後に播かれることになり、適した深さを中心に深さに幅をもたせて種子を播くことができる。このことは、凹部に複数の種子を収容し保持する場合であれば、深さ以外の条件に応じて適した深さがある程度変化する場合であっても、また本保持具の土中への埋設に誤差を生じても、いずれかの種子は適した深さに播かれる可能性が高まることによって、うまく発芽し生育するものを高い確率で得ることができる。
【０００９】
本保持具は、厚みが略均一な板状の部材である原料部材を押圧し、前記一面に凹部を形成すると共に、前記他面に凹部に対応する凸部を形成することで製造されるものであってもよい。
こうすることで比較的薄い（例えば、厚み３ｍｍ以下）板状の原料部材を押圧（例えば、押し型による押圧）することで、前記一面に凹部を容易に形成する（前記他面には該凹部に対応する凸部が形成される。）ことができ、容易に多数の本保持具を製造することができる。
【００１０】
本保持具においては、両主表面の少なくとも一方に、前記植物の生育方法及び／又は前記植物の画像が表示されるものであってもよい。
前記植物の生育方法を表示する場合、本保持具が保持する種子に係る植物をどのように生育させればよいかを本保持具の使用者が容易に理解できるので、本保持具の使用者が植物をうまく生育させることができる。前記植物の画像を表示する場合、本保持具が保持する種子に係る植物が生育した際にどのような外観を有するかを本保持具の使用者が容易に理解できるので、本保持具の使用者がそのような外観を楽しみに植物を生育させることができるし、それぞれが異なる種子を保持した本保持具が存する場合は使用者が自分の好みに合わせて本保持具を的確に選択することができる。
【００１１】
本保持具においては、前記種子保持具を支持する支持物に、前記種子保持具を吊下又は係止させる支持手段を有するものであってもよい。
こうすることで、本保持具を支持する支持物に、支持手段によって本保持具を吊下又は係止させることができるので、本保持具が整理された状態で本保持具の搬送、貯蔵及び展示等を容易に行うことができる。なお、本保持具の支持手段としては、本保持具を支持する支持物に本保持具を吊下又は係止させることができるものであれば特に限定されないが、例えば、支持物が先端が固定された棒状部材（例えば、釘やボルト等）の場合であれば、該棒状部材を嵌入させ本保持具を係止することができる貫通孔（例えば、本保持具を構成する板状部材に形成された貫通孔）であっても、そして該棒状部材に係止され本保持具を吊り下げる環状の部材（例えば、紐材や糸材等）であってもよい。
【００１２】
本保持具においては、埋設目印から見て種子保持部が形成された方向の板状部材の縁部が、先細りの部分を有するものであってもよい。
こうすることで埋設目印から見て種子保持部が形成された方向（本保持具が土中へ埋設される方向）に向けて本保持具を土中へ潜入させる際、板状部材の縁部が有する先細りの部分によって円滑に本保持具を土中へ潜入させることができる。
【００１３】
本保持具においては、埋設目印が、前記種子保持具が埋設されるべき土表面に一致する直線である基準線に存する少なくとも異なる２点を示すものであってもよい。
埋設目印は、本保持具が埋設されるべき土表面に対する好ましい相対位置を示す目印であるが、本保持具が埋設されるべき土表面に一致する直線である基準線に存する少なくとも異なる２点を示すものとすれば、土表面に一致する基準線と本保持具との向きを好ましいものに決定でき、凹部に保持された種子が土中に播かれるのに適した深さに確実に播かれるようにすることができる。
なお、「基準線に存する少なくとも異なる２点を示す」とは、仮想上の直線である基準線に沿った線分の一部又は全部を示すことを含むものである。
【００１４】
本保持具は、凹部に収容された種子を含むことで植物栽培具（以下、「本栽培具」という。）を構成することができる。即ち、本栽培具は、本保持具と、本保持具の凹部に収容された種子と、を含んでなる、植物栽培具である。
本栽培具は、本保持具の凹部に収容された種子を含むので、本保持具が埋設されるべき土表面に対する相対位置に埋設目印を合わせて種子保持部が土中に埋設された時に、凹部の該一部に保持された種子が土中に播かれるのに適した深さに播かれるように埋設目印と凹部との位置関係を決定しておけば（埋設目印から凹部の該一部までの該所定距離を調整する）、埋設目印を該相対位置に合わせて種子保持部を土中に埋設することにより、凹部の該一部に保持された種子を土中に適した深さに播くことができ、該種子に係る植物を容易かつ確実に栽培することができる。
【００１５】
本栽培具においては、前記凹部を覆うように前記一面に取り付けられる蓋部材をさらに備えてなるもの（以下、「蓋部材具備本栽培具」という。）であってもよい。
こうすることで、凹部が形成された前記一面に取り付けられた蓋部材が、種子を収容した凹部を覆うので、種子が凹部から不意に脱落したり、凹部に収容された種子が損傷することを防止又は減少させることができる。これにより本栽培具によって種子に係る植物を一層確実に栽培することができる。
【００１６】
蓋部材具備本栽培具の場合、蓋部材が取り付けられた状態のまま液体の水と接触すると、水が種子に付着するもの（以下、「水分進入本栽培具」という。）であってもよい。
蓋部材は、本栽培具が土中に埋設される前に除去されてもよいが、蓋部材が取り付けられた状態のままで土中に埋設され、種子が発芽生育するようにすれば、一層簡単かつ便利に本栽培具によって種子に係る植物を栽培することができる。このためには蓋部材が取り付けられた状態のまま本栽培具が液体の水と接触した際、水が種子に到達し付着するようにすればよい（水が種子に付着すれば、種子が発芽し生育する。）。蓋部材が取り付けられた状態のまま本栽培具が液体の水と接触した場合に水が種子に付着するようにするには様々な方法があり、何ら限定されるものではないが、例えば、（ａ）蓋部材及び／又は本保持具の板状部材が水と接触すると溶解又は破壊される場合（この場合は、種子から延びた芽は溶解又は破壊により生じた開口から外へさらに延びることができる。）や、（ｂ）蓋部材及び／又は本保持具の板状部材が水を通過させる孔を有する場合（この場合は、種子から延びた芽は、該孔から外へさらに延びることや、芽の延びる力によって蓋部材及び／又は本保持具の板状部材を破壊して外へ延びることができる。）等を例示することができる。
【００１７】
水分進入本栽培具の場合、蓋部材が水溶性紙であってもよい。
こうすることで、蓋部材たる水溶性紙が水と接触することで容易に溶解及び／又は破壊されるので、水が種子に容易かつ確実に到達し付着することで発芽をさせると共に、種子から延びた芽が確実に溶解及び／又は破壊により生じた開口から外へさらに延びることができる。
【図面の簡単な説明】
【００１８】
【図１】本考案の一実施形態の植物栽培具（本栽培具）を示す正面図である。
【図２】本栽培具を示す左側面図である。
【図３】本栽培具を示す背面図である。
【図４】図１のＡ−Ａ断面図である。
【図５】図１のＢ−Ｂ断面図である。
【図６】本栽培具の使用方法を説明する正面図である。
【図７】本栽培具の使用方法を説明する左側面図である。
【考案を実施するための形態】
【００１９】
本考案の実施の形態を図面を参照して詳述するが、本考案はこれに限定されるものではない。
【００２０】
図１は、本考案の一実施形態の植物栽培具（本栽培具）１１を示す正面図であり、図２は本栽培具１１を示す左側面図（図１中、矢印Ｃ方向から見たところを示している。但し、一部図示を省略している。）であり、図３は本栽培具１１を示す背面図であり、図４は図１のＡ−Ａ断面図であり、そして図５は図１のＢ−Ｂ断面図である。図１乃至図５を参照して、本栽培具１１について説明する。
本栽培具１１は、大まかには、本考案の一実施形態の種子保持具（本保持具）２１と、本保持具２１の凹部４１（後で詳述する）に収容された種子１０１（図４及び図５参照）と、凹部４１を覆うように取り付けられたカバー紙（蓋部材）２０１と、を備えてなる。
なお、「上」及び「下」は、本栽培具１１が水平な土表面に後述の埋設目印線３９が沿うように埋設された際の鉛直上方向と鉛直下方向をいい、図中、「上」を矢印Ｄ１にて、そして「下」を矢印Ｄ２にて、それぞれ示す。
【００２１】
本保持具２１は、厚さ約１ｍｍ程度（ここでは横２ｃｍ×縦７ｃｍ程度）の１枚の短冊状のボール紙（厚紙）によって一体に形成された保持具本体３１と、保持具本体３１の上部に穿設された貫通孔３３に嵌入された環状の紐材９１と、を有してなる。なお、ここではボール紙（厚紙）によって保持具本体３１を形成しているがこれに限定されるものでないことは言うまでもなく、例えば、合成紙、石灰紙、木材、塩化ビニルやポリオレフィン等の合成樹脂等を用いてもよい。また、貫通孔３３や紐材９１は、先端が固定された棒状部材（例えば、釘やボルト等）を嵌入し本栽培具１１を係止させたり吊下することができる。
【００２２】
保持具本体３１は、上述のように１枚の短冊状のボール紙（原料部材）を押し型によって押圧することで一体に形成されており、両主表面３１ａ、３１ｂ（いずれも平面に沿っている）を有している。そして、保持具本体３１は、幅（図１及び図３中、矢印Ｗ方向の寸法であり、上下方向に対して垂直かつ両主表面３１ａ、３１ｂに対して平行方向の寸法である。）が一定の上部３５（両主表面が、角部が丸められた略長方形を有する）と、上部３５の下方に形成され下方に向けて幅が減少する下部３７と、を一体に有してなる。
そして、上下方向（矢印Ｄ１、Ｄ２）に平行な上部３５の一対の縁部３５ａ、３５ｂに略垂直な線分に沿って埋設目印線３９（埋設目印）が主表面３１ａに描かれている。さらに、埋設目印線３９の上方の主表面３１ａには、埋設目印線３９が土表面（不図示）に沿うように本栽培具１１が埋設されるべきことを説明する文言「ここまで土の中へ」が記載されている。
加えて、埋設目印線３９の上方の主表面３１ａには、種子１０１が発芽し生育した植物の画像１０３が描かれている。
【００２３】
一方、埋設目印線３９の下方の主表面３１ａには、主表面３１ａから主表面３１ｂ方向に向かって窪むように凹部４１（種子保持部）が形成されており（特に、図４及び図５参照）、主表面３１ｂには凹部４１に対応する凸部４３が形成されている。
凹部４１は、主表面３１ａから第１楕円形状に窪むように形成された第１凹部４１ａと、第１凹部４１ａの底部に第２楕円形状（第２楕円と第１楕円とは略相似形状であり、第２楕円の中心と第１楕円の中心とは略一致している。）に窪むように形成された第２凹部４１ｂと、を有している。また、凹部４１が第１凹部４１ａ及び第２凹部４１ｂを有してなることに対応して、凸部４３は、第１凹部４１ａに対応し主表面３１ｂから突出する第１凸部４３ａと、第２凹部４１ｂに対応し第１凸部４３ａから突出する第２凸部４３ｂと、を有している。
第２凹部４１ｂの中心（楕円の中心）と埋設目印線３９との間の距離Ｅ（図１及び図２参照）は、ここでは種子１０１が土中に播かれるのに適した深さと同じにされている。
かかる凹部４１及び凸部４３は、前述の如く、保持具本体３１を形成する１枚の短冊状のボール紙（原料部材）を押し型によって押圧することで形成される。
【００２４】
植物の種子１０１は、図４及び図５に示したように、本保持具２１の凹部４１に複数収容されているが、第１凹部４１ａに収容された種子１０１と、第２凹部４１ｂに収容された種子１０１と、が存在する。図４に示すように、第１凹部４１ａに収容された種子１０１と、第２凹部４１ｂに収容された種子１０１と、が存在することで上下方向にある程度の範囲で分散して種子１０１が存在することから、埋設目印線３９が土表面（不図示）に沿うように本栽培具１１が埋設された場合に土中における深さが異なる種子１０１が存在するので、好適な深さに合致する種子１０１が存在する可能性を高めることができる。
【００２５】
カバー紙２０１は、ここでは楕円形状の水溶性紙によって形成されており、糊による接着や焼付によって凹部４１を覆うように主表面３１ａに取り付けられている。なお、カバー紙２０１は、本栽培具１１が土中に埋設されるまでは凹部４１中に種子１０１を保持し、本栽培具１１が土中に埋設され水分が土表面に与えられた際に水に溶解したり破壊される。カバー紙２０１を形成する水溶性紙としては、カバー紙２０１に上述のような機能を与えるようなものを種々用いることができるが、例えば、日本製紙パピリア株式会社製の「水溶紙」である種類「ＭＤＰ」（品名としては、30MDP、60MDP、120MDP、30MDP-S、60MDP-S）、種類「ＣＤ−２」（品名としては、30CD-2、60CD-2、120CD-2）、種類「ヒートシールタイプ」（品名としては、60MDP-P、A3015、A3030、A6015）等を用いてもよい（水溶性紙の厚みとしては、４０μｍ〜３００μｍ程度）。これらの中でも、種類「ヒートシールタイプ」（品名としては、60MDP-P、A3015、A3030、A6015）を用いれば、焼付（ヒートシール）によって安価、迅速かつ確実に主表面３１ａに取り付けることができる。
【００２６】
本栽培具１１の使用方法を説明する。図６及び図７を参照しつつ、本栽培具１１の使用方法を説明する（なお、本栽培具１１を見る方向は、図６は図１と同じ方向から、そして図７は図２と同じ方向から、それぞれ見たところである。）。
まず、本栽培具１１を下部３７を下方に向け土表面４０１から土中４０３へ埋め込む。このとき下部３７は下方に向けて幅が減少するので、円滑に土中４０３へ埋入することができる。そして埋設目印線３９が土表面４０１に略一致する位置に本栽培具１１を土中４０３へ埋入する。ここでは両主表面３１ａ、３１ｂが土表面４０１に対して略垂直になっている。
そして、土表面４０１に散水する。この散水によって、水が土中４０３へしみ込み、カバー紙２０１に水分が付着することでカバー紙２０１が溶解する。この状態が図６及び図７に示されており、カバー紙２０１が溶解することで、種子１０１が土中４０３へ露出されている。このとき第２凹部４１ｂの中心（楕円の中心）と埋設目印線３９との間の距離Ｅは、種子１０１が土中４０３に播かれるのに適した深さと同じにされているので、図６及び図７に示すように両主表面３１ａ、３１ｂが土表面４０１に対して略垂直になるように、かつ、埋設目印線３９が土表面４０１に合致するように本栽培具１１が土中４０３へ埋入されることで、種子１０１は、土中４０３に播かれるのに適した深さとほぼ同じ深さになっている。
さらに、通常の種子を発芽及び生育させるのと同様、その後も、土表面４０１に散水することで土中４０３の種子１０１の周囲に水分が存在することにより、種子は土中４０３の適した深さにて発芽し、芽が土表面４０１から上方へ延びて植物が生育する（なお、凹部４１は、水分を保持する機能も有し、種子１０１の発芽及び生育を促進する。）。また、植物の芽は、凹部４１が形成された主表面３１ａ側を上方に向かって延びるので、種子１０１が発芽し生育した植物の画像１０３（主表面３１ａに描かれている）に近接した状態で生育する。このため本栽培具１１の使用者（不図示）は画像１０３のような植物になることを楽しみに植物を生育させることができる。
【００２７】
以上説明のように、本保持具２１は、両主表面３１ａ、３１ｂを有する板状部材によって形成され、植物の種子１０１を保持する種子保持具であって、両主表面３１ａ、３１ｂの少なくとも一方（ここでは主表面３１ａ）に形成され、該種子保持具２１が埋設されるべき土表面４０１に対する相対位置を示す目印である埋設目印（ここでは埋設目印線３９）と、両主表面３１ａ、３１ｂの一面（主表面３１ａ）に他面（主表面３１ｂ）方向に向かって窪むように埋設目印（埋設目印線３９）から所定距離Ｅ離れた位置に一部が存在するように形成され、種子１０１を収容し保持する凹部４１である種子保持部と、を備えてなる、種子保持具である。なお、本保持具２１の使用においては埋設目印（ここでは埋設目印線３９）よりも種子保持部が下方になるように本保持具２１（の一部）が土中４０３に埋設される。また、凹部４１が形成された両主表面３１ａ、３１ｂの一面（主表面３１ａ）から垂直方向から見て（図１、図６）、埋設目印（埋設目印線３９）から該一面（主表面３１ａ）に沿って所定距離Ｅ離れた下方の位置に凹部４１の一部がかかっており、埋設目印から所定距離離れた位置に凹部の一部が存在している。また、前述のように、埋設目印（埋設目印線３９）と凹部４１の該一部との間の所定距離Ｅは、ここでは種子１０１が土中４０３に播かれるのに適した深さと同じにされているが、埋設目印が示す本保持具が埋設されるべき土表面に対する相対位置に応じて決定されればよい。詳細には、前記所定距離は、種子を収容し保持する凹部の一部から土表面までの間の深さが、対象とする種子が土中に播かれるのに適した深さと同じになるようにされればよい。例えば、板状部材の両主表面が土表面に対して略垂直になるように、かつ、埋設目印が、本保持具が埋設されるべき土表面に対して１ｃｍ上方の位置を示すものであれば、前記所定距離は、種子が土中に播かれるのに適した深さに１ｃｍを加えた距離とすればよい。
【００２８】
本保持具２１においては、種子保持部（凹部４１）が、第１凹部４１ａと、埋設目印（埋設目印線３９）から所定距離Ｅ離れた位置に一部が存在するように第１凹部４１ａの底部に形成された第２凹部４１ｂと、を有してなるものである。なお、凹部４１が形成された両主表面３１ａ、３１ｂの一面（主表面３１ａ）から垂直方向から見て（図１、図６）、埋設目印（埋設目印線３９）から該一面（主表面３１ａ）に沿って所定距離Ｅ離れた下方の位置に第２凹部４１ｂの一部がかかっており、埋設目印から所定距離離れた位置に第２凹部の一部が存在している。
本保持具２１においては、厚みが略均一な板状の部材である原料部材（厚さ約１ｍｍ程度の１枚の短冊状のボール紙（厚紙））を押圧し（トムソンプレス法）、前記一面（主表面３１ａ）に凹部を形成すると共に、前記他面（主表面３１ｂ）に凹部４１に対応する凸部４３を形成することで製造されるものである。
【００２９】
本保持具２１においては、両主表面３１ａ、３１ｂの少なくとも一方（ここでは主表面３１ａ）に、前記植物の生育方法及び／又は前記植物の画像１０３が表示されるものである。なお、図中では、主表面３１ａに植物の画像１０３を図示しているが、両主表面３１ａ、３１ｂの両方に植物の画像１０３を表示しても、また両主表面３１ａ、３１ｂの一方又は両方に植物の生育方法を表示するようにしてもよい。
本保持具２１は、本保持具２１を支持する支持物に、本保持具２１を吊下又は係止させる支持手段（ここでは貫通孔３３及び紐材９１）を有するものである。
本保持具２１においては、埋設目印（埋設目印線３９）から見て種子保持部（凹部４１）が形成された方向（下方向）の板状部材の縁部が、下方に向けて先細りの部分（ここでは下部３７）を有するものである。
本保持具２１においては、埋設目印（埋設目印線３９）が、前記種子保持具２１が埋設されるべき土表面４０１に一致する直線である基準線に存する少なくとも異なる２点を示すものである（ここでは埋設目印線３９は基準線の上に描かれているので、基準線に存する無限の異なる点を示している。）。
【００３０】
そして、本栽培具１１は、本保持具２１と、凹部４１に収容された種子１０１と、を含んでなる、植物栽培具である。
本栽培具１１は、前記凹部４１を覆うように前記一面（主表面３１ａ）に取り付けられる蓋部材（カバー紙２０１）をさらに備えてなる。
本栽培具１１においては、蓋部材（カバー紙２０１）が取り付けられた状態のまま液体の水と接触すると、蓋部材（カバー紙２０１）が水に溶解することで、水が種子１０１に付着するものである。
本栽培具１１においては、蓋部材（カバー紙２０１）が水溶性紙である。
【符号の説明】
【００３１】
１１            本栽培具
２１            本保持具
３１            保持具本体
３１ａ、３１ｂ  主表面
３３            貫通孔
３５            上部
３５ａ、３５ｂ  縁部
３７            下部
３９            埋設目印線
４１            凹部
４１ａ          第１凹部
４１ｂ          第２凹部
４３            凸部
４３ａ          第１凸部
４３ｂ          第２凸部
９１            紐材
１０１            種子
１０３            画像
２０１            カバー紙
４０１            土表面
４０３            土中
【図１】
0003157030.tif 000003
【図２】
0003157030.tif 000004
【図３】
0003157030.tif 000005
【図４】
0003157030.tif 000006
【図５】
0003157030.tif 000007
【図６】
0003157030.tif 000008
【図７】
0003157030.tif 000009